(57)【特許請求の範囲】
【請求項１】
レールの下に敷かれる枕木を、この枕木が載せられた躯体に固定する枕木固定用機具において、
前記枕木の上面に配置される押圧部と、
前記枕木のうち、長手方向と交差する側に向けられた側面に配置されて前記躯体に係止されるフック部と、が連結され、
前記フック部が、
前記躯体のうち、前記枕木の長手方向の端に向けて張り出された外側フランジに係止される端側フック片部と、
前記躯体のうち、前記外側フランジの反対側に向けて張り出された内側フランジに係止される基側フック片部と、から構成された、
ことを特徴とする枕木固定用機具。
【請求項２】
前記フック部が、前記枕木の両側面のそれぞれに配置された、
ことを特徴とする請求項１に記載された枕木固定用機具。
【請求項３】
前記端側フック片部と前記基側フック片部とを、前記枕木の長手方向と交差する方向を軸として作動させる調節機構が備えられた、
ことを特徴とする請求項１または請求項２に記載された枕木固定用機具。
【請求項４】
前記枕木の上面と前記押圧部との間に、受け板部が備えられた、
ことを特徴とする請求項１から請求項３のいずれか１項に記載された枕木固定用機具。
【請求項５】
前記受け板部と前記押圧部とが嵌合する、
ことを特徴とする請求項４に記載された枕木固定用機具。
【請求項６】
前記フック部のうち、前記押圧部から前記躯体までの間に形成された角部が、前記レールよりも低い位置に形成された、
ことを特徴とする請求項１から請求項５のいずれか１項に記載された枕木固定用機具。
【請求項７】
前記端側フック片部および前記基側フック片部の作動を規制するストッパーが、前記調節機構に備えられた、
ことを特徴とする請求項３、請求項３を引用する請求項４、請求項３を引用する請求項４を引用する請求項５、請求項３を引用する請求項６、請求項３を引用する請求項４を引用する請求項６、請求項３を引用する請求項４を引用する請求項５を引用する請求項６のいずれか１項に記載された枕木固定用機具。
【発明の詳細な説明】
【技術分野】
【０００１】
本発明は、鉄道のレールの下に敷かれる枕木を躯体に固定する際に用いられる枕木固定用機具に関するものである。
【背景技術】
【０００２】
従来、鉄道のレールの下に敷かれる枕木が躯体に固定される際、例えば下記特許文献１に記載されたフックボルトなどが用いられる。特許文献１に記載されているとおり、一般的に、レールが橋梁に渡される場合、枕木は、例えばＨ形鋼材などの躯体に載せられており、枕木の端で枕木の厚み方向に貫通して取り付けられたフックボルトによって躯体のフランジ部に固定される。
【先行技術文献】
【特許文献】
【０００３】
【特許文献１】特開２０１４−３４７６２号公報
【発明の概要】
【発明が解決しようとする課題】
【０００４】
しかし、上記したフックボルトによる固定方法によれば、鉄道が通過する際の振動が、フックボルトによる枕木の固定状態に影響を及ぼす場合がある。
【０００５】
本発明は、上記の実情に鑑みて提案されたものである。すなわち、鉄道が通過する際の振動による影響を最小限に抑え、躯体に枕木を堅固に固定することができる枕木固定用機具の提供を目的とする。
【課題を解決するための手段】
【０００６】
上記目的を達成するために、本発明に係る枕木固定用機具は、レールの下に敷かれる枕木を、この枕木が載せられた躯体に固定する枕木固定用機具において、前記枕木の上面に配置される押圧部と、前記枕木のうち、長手方向と交差する側に向けられた側面に配置されて前記躯体に係止されるフック部と、が連接された、ことを特徴とする。
【０００７】
本発明に係る枕木固定用機具は、前記フック部が、前記枕木の両側面のそれぞれに配置された、ことを特徴とする。
【０００８】
本発明に係る枕木固定用機具は、前記フック部が、前記躯体のうち、前記枕木の長手方向の端に向けて張り出された外側フランジに係止される端側フック片部と、前記躯体のうち、前記外側フランジの反対側に向けて張り出された内側フランジに係止される基側フック片部と、から構成された、ことを特徴とする。
【０００９】
本発明に係る枕木固定用機具は、前記端側フック片部と前記基側フック片部とを、前記枕木の長手方向と交差する方向を軸として作動させる調節機構が備えられた、ことを特徴とする。
【００１０】
本発明に係る枕木固定用機具は、前記枕木の上面と前記押圧部との間に、受け板部が備えられた、ことを特徴とする。
【００１１】
本発明に係る枕木固定用機具は、前記受け板部と前記押圧部とが嵌合する、ことを特徴とする。
【００１２】
本発明に係る枕木固定用機具は、前記フック部のうち、前記押圧部から前記躯体までの間に形成された角部が、前記レールよりも低い位置に形成された、ことを特徴とする。
【００１３】
本発明に係る枕木固定用機具は、前記端側フック片部および前記基側フック片部の作動を規制するストッパーが、前記調節機構に備えられた、ことを特徴とする。
【発明の効果】
【００１４】
本発明に係る枕木固定用機具は上記した構成である。すなわち、枕木の上面に配置される押圧部と、枕木の側面に配置されて躯体に係止されるフック部とが連接されている。そのため、枕木が押圧部と躯体とで挟まれた状態で、押圧部で枕木を押さえ付けると共にフック部で躯体に係止する。したがって、従来と比較して、枕木を貫通させたフックボルトが振動によって影響を受けるものではなく、躯体に枕木を堅固に固定することができる。
【００１５】
また、枕木の上面と側面に配置されて枕木に取り付けられるため、枕木を加工することなく、容易に既存の枕木に着脱することができる。
【００１６】
本発明に係る枕木固定用機具は、フック部が、枕木の両側面のそれぞれに配置されている。この構成により、フック部が複数の点で躯体に係止される。したがって、躯体に枕木を堅固に固定することができる。また、仮に押圧部が緩んだとしても、フック部が複数の点で躯体に係止されているため、躯体から外れ難くすることができる。
【００１７】
本発明に係る枕木固定用機具は、フック部が、躯体のうち、枕木の長手方向の端に向けて張り出された外側フランジに係止される端側フック片部と、躯体のうち、外側フランジの反対側に向けて張り出された内側フランジに係止される基側フック片部と、から構成されている。この構成により、端側フック片部と基側フック片部とで各フランジに係止される。したがって、躯体に枕木を、さらに堅固に固定することができる。
【００１８】
本発明に係る枕木固定用機具は、端側フック片部と基側フック片部とを、枕木の長手方向と交差する方向を軸として作動させる調節機構が備えられている。この構成により、端側フック片部と基側フック片部とが、調節機構により、枕木と交差する方向を軸として作動し、各フック片部同士の間隔が変化する。したがって、躯体の大きさやフランジの形状に応じて各フック部片同士の間隔を変化させることで、様々な大きさの躯体に対応することができる。
【００１９】
本発明に係る枕木固定用機具は、枕木の上面と押圧部との間に、受け板部が備えられている。この構成により、受け板部の分だけ枕木との接触面積が増加する。したがって、躯体に枕木を堅固に固定することができる。
【００２０】
本発明に係る枕木固定用機具は、受け板部と押圧部とが嵌合する構成である。したがって、躯体に枕木を堅固に固定することができる。
【００２１】
本発明に係る枕木固定用機具は、フック部のうち、押圧部から躯体までの間に形成された角部が、レールよりも低い位置に形成されている。この構成により、角部とレールとの間隔が空けられる。したがって、フック部とレールとの接触を妨げることができる。
【００２２】
本発明に係る枕木固定用機具は、端側フック片部および基側フック片部の作動を規制するストッパーが、調節機構に備えられている。したがって、振動などによってフック片部が作動することを妨げることができる。
【図面の簡単な説明】
【００２３】
【図１】本発明の第一実施形態に係る枕木固定用機具の使用状態が示された外観斜視図である。
【図２】本発明の第一実施形態に係る枕木固定用機具の使用状態が示された外観透し側面図である。
【図３】本発明の第一実施形態に係る枕木固定用機具の分解斜視図である。
【図４】本発明の第一実施形態に係る枕木固定用機具の取付手順が示された外観透し側面図である。
【図５】本発明の第二実施形態に係る枕木固定用機具の使用状態が示された外観斜視図である。
【図６】本発明の第二実施形態に係る枕木固定用機具の使用状態が示された外観透し側面図である。
【図７】本発明の第二実施形態に係る枕木固定用機具の分解斜視図である。
【図８】本発明の第二実施形態に係る枕木固定用機具の取付手順が示された外観透し側面図である。
【図９】本発明の第三実施形態に係る枕木固定用機具の使用状態が示された外観斜視図である。
【図１０】本発明の第三実施形態に係る枕木固定用機具の使用状態が示された外観透し側面図である。
【図１１】本発明の第三実施形態に係る枕木固定用機具の外観が示され、（ａ）は、上方から視した上面図、（ｂ）は、枕木の端側から視した端面図、（ｃ）は側面図、（ｄ）は、Ａ−Ａ断面図である。
【図１２】本発明の第三実施形態に係る枕木固定用機具の分解斜視図である。
【図１３】本発明の第三実施形態に係る枕木固定用機具の押圧部の外観が示され、（ａ）は側面図、（ｂ）は端面図、（ｃ）は下方から視した下面図である。
【図１４】本発明の第三実施形態に係る枕木固定用機具のストッパーの外観が示され、（ａ）は斜視図、（ｂ）は下面図、（ｃ）は端面図、（ｄ）は側面図である。
【図１５】本発明の第三実施形態に係る枕木固定用機具のフック部の外観が示され、（ａ）は端面図、（ｂ）は側面図である。
【図１６】本発明の第三実施形態に係る枕木固定用機具のフック部の外観が示された外観斜視図である。
【図１７】本発明の第三実施形態に係る枕木固定用機具の受け板部の外観が示され、（ａ）は上面図、（ｂ）は側面図、（ｃ）は端面図である。
【図１８】本発明の第三実施形態に係る枕木固定用機具の取付手順が示され、（ａ）は斜視図、（ｂ）は側面図である。
【図１９】本発明の第三実施形態に係る枕木固定用機具の取付手順が示され、（ａ）は斜視図、（ｂ）は側面図である。
【図２０】本発明の第三実施形態に係る枕木固定用機具の取付手順が示され、（ａ）は斜視図、（ｂ）は側面図である。
【図２１】本発明の第三実施形態に係る枕木固定用機具の取付手順のうち、ストッパーの作動状態が示され、（ａ）は作動後の状態が示された側面図、（ｂ）（ｃ）は作動前の状態が示された側面図である。
【図２２】本発明の第三実施形態に係る枕木固定用機具の取付手順が示され、（ａ）は斜視図、（ｂ）は側面図である。
【図２３】本発明の第三実施形態に係る枕木固定用機具の取付手順が示され、（ａ）は斜視図、（ｂ）は側面図である。
【図２４】本発明の第三実施形態に係る枕木固定用機具の取付手順が示された側面図である。
【図２５】比較例に係る枕木固定用機具の取り付け状態が示された側面図である。
【図２６】本発明の第三実施形態の変形例に係る枕木固定用機具が示され、（ａ）は、フック部が長い場合の側面図、（ｂ）は、フック部が短い場合の側面図である。
【図２７】本発明の第三実施形態の変形例に係る枕木固定用機具が示され、（ａ）は、フック部に形成された複数の孔のうち上方の孔が用いられた場合の側面図、（ｂ）は、下方の孔が用いられた場合の側面図である。
【図２８】本発明の第四実施形態に係る枕木固定用機具の使用状態が示された外観斜視図である。
【図２９】本発明の第四実施形態に係る枕木固定用機具の使用状態が示された外観透し側面図である。
【図３０】本発明の第四実施形態に係る枕木固定用機具の外観が示され、（ａ）は、上方から視した上面図、（ｂ）は端面図、（ｃ）は側面図である。
【図３１】本発明の第四実施形態に係る枕木固定用機具の分解斜視図である。
【図３２】本発明の第四実施形態に係る枕木固定用機具の押圧部の外観が示され、（ａ）は側面図、（ｂ）は端面図、（ｃ）は下面図である。
【図３３】本発明の第四実施形態に係る枕木固定用機具のストッパーの外観が示され、（ａ）は斜視図、（ｂ）は下面図、（ｃ）は端面図、（ｄ）は側面図である。
【図３４】本発明の第四実施形態に係る枕木固定用機具のフック部の外観が示され、（ａ）は端面図、（ｂ）は側面図である。
【図３５】本発明の第四実施形態に係る枕木固定用機具の受け板部の外観が示され、（ａ）は上面図、（ｂ）は側面図、（ｃ）は端面図である。
【図３６】比較例に係る枕木固定用機具の取り付け状態が示され、（ａ）は端面図、（ｂ）は要部拡大図である。
【発明を実施するための形態】
【００２４】
以下に、本発明の実施形態に係る枕木固定用機具を図面に基づいて説明する。図１および図２は、本発明の第一実施形態に係る枕木固定用機具１０の使用状態における外観が示されている。なお、以下の説明では、図１において枕木を基準とし、枕木の長手方向のうち、先端側を端側とし、この端側と反対側を基側とし、平面上において枕木の長手方向と交差する側を側方とし、枕木の厚み方向を上方および下方とする。
【００２５】
図１および図２に示されているとおり、一般的に、躯体１は、例えばＨ形鋼材などであり、端側に向けて張り出された外側フランジ２と、この外側フランジ２の反対側である基方に向けて張り出された内側フランジ３とが形成されている。枕木４は、平面上において躯体１の長手方向と交差する方向に配置されると共に、躯体１の上面に載せられている。枕木４の上面には、鉄道（図示省略）を案内するレール（図示省略）が載せられてボルトで固定される。本発明の第一実施形態に係る枕木固定用機具１０は、レールの下に敷かれる枕木４を、この枕木４が載せられた躯体１に固定する際に用いられるものである。
【００２６】
枕木固定用機具１０は、枕木４の端側において、躯体１に重ねられた範囲で、上面および両側面を覆って取り付けられた本体ベース部材１１と、この本体ベース部材１１の内側に備えられた受け板部材２４とから構成されている。本体ベース部材１１は、枕木４の上面に配置された押圧部１２と、枕木４の両側面のそれぞれに配置されて躯体１に係止されたフック部としてのフック板部２０とが、連接して形成されている。受け板部材２４は、枕木４の上面と押圧部１２との間に配置されている。
【００２７】
ここで、各部材について詳説する。図３は、分解された本発明の第一実施形態に係る枕木固定用機具１０の各部材が示されている。
【００２８】
図３に示されているとおり、本体ベース部材１１は、断面が“コ”字型に形成され、下方と端側および基側とが開放されている。押圧部１２は、本体ベース部材１１の上面である支持板部１３と、この支持板部１３に取り付けられた押圧機構１４とから構成されている。支持板部１３は、枕木４の側方の幅と、躯体１に重ねられた枕木４の長さとに相当する大きさであり、長方形の平板状に形成されて四隅に孔が形成されている。押圧機構１４は、孔に合わせて支持板部１３の下面に予めフランジナット１６が取り付けられた状態で、クランプボルト１５が下方からフランジナット１６に挿入され、孔から突出したクランプボルト１５に上方からダブルナット１７が取り付けられ、さらにクランプボルト１５の先端に割ピン１８が取り付けられて形成されている。なお、支持板部１３は、中央近傍に二つの開口部１９が形成されている。
【００２９】
フック板部２０は、本体ベース部材１１の両側面であり、ほぼ長方形の平板状に形成され、下端にフック片２１が形成されている。フック片２１は、鉤状に形成されて互いに向き合う方向に突出し、外側フランジ２に係止される端側フック片部２２と、内側フランジ３に係止される基側フック片部２３とから構成されている。各フック片部２２，２３によって各フック片部２２，２３同士の間に形成された空間は、躯体１の外側フランジ２および内側フランジ３が収まる大きさに形成されている。なお、この空間の大きさは任意であるが、各種の躯体１の各フランジ２，３の厚みに対応できる大きさであることが好ましい。
【００３０】
受け板部材２４は、本体ベース部材１１の支持板部１３とほぼ同じ長方形の平板状に形成されている。この受け板部材２４の端側および基側の縁は、上方に向けて立ち上がった嵌合片２５が形成されている。なお、受け板部材２４は、枕木４に固定される際にネジ釘５が用いられ、このネジ釘５が挿入される二つのネジ孔２６が、中央近傍に形成されている。このネジ孔２６と支持板部１３の開口部１９とは対応して配置されている。
【００３１】
上記のとおり、第一実施形態に係る枕木固定用機具１０が形成されている。
【００３２】
次に、第一実施形態に係る枕木固定用機具１０の取付手順を図面に基づいて説明する。図４は、第一実施形態に係る枕木固定用機具１０の取付手順が示されている。
【００３３】
図４（ａ）に示されているとおり、本体ベース部材１１の内側に受け板部材２４を配置し、本体ベース部材１１の押圧部１２である支持板部１３の端側および基側に、受け板部材２４の嵌合片２５を嵌合させた状態で、枕木固定用機具１０を枕木４に載せる。その際、“コ”字状のベース部材１１を枕木４に嵌合させ、本体ベース部材１１のフック板部２０に形成された各フック片部２２，２３を、躯体１の各フランジ２，３に係止させる。詳説すれば、枕木固定用機具１０を枕木４に対して傾斜させ、まず、基側フック片部２３を内側フランジ３に引っ掛ける。次いで、図４（ｂ）に示されているとおり、枕木固定用機具１０を枕木４に対して水平にしながら端側フック片部２２を外側フランジ２に引っ掛け、各フック片部２２，２３の内側に躯体の各フランジ２，３を納める。その後、枕木固定用機具１０を枕木４に対して基側に向けてずらし（図４（ｂ）における矢印１００参照）、予め枕木４に形成しておいた下穴６の位置に、受け板部材２４のネジ孔２６を合わせる。ネジ孔２６の位置と、本体ベース部材１１の支持板部１３に形成された開口部１９の位置とが対応しているため、開口部１９を通じてネジ孔２６が露出する。開口部１９を通じて、ネジ釘５を通し（図４における矢印１０１参照）、ネジ孔２６を通してネジ釘５を枕木４に留め、枕木固定用機具１０を枕木４に固定する。
【００３４】
この状態で、図４（ｃ）に示されているとおり、押圧機構１４を作動させてフック板部２０の各フック片部２２，２３を各フランジ２，３に係止させる。詳説すれば、工具（図示省略）などでクランプボルト１５を回して（図４（ｃ）における矢印１０２参照）本体ベース部材１１を上昇させることで（図４（ｃ）における矢印１０３参照）、各フック片部２２，２３を各フランジ２，３に係止させると共に、受け板部材２４を介して枕木４を下方に向けて躯体１に押し付ける。最後にダブルナット１７を締めて本体ベース部材１１の位置を固定する。以上により、図１および図２に示されているとおり、枕木固定用機具１０によって枕木４が躯体１に固定される。
【００３５】
次に、第一実施形態の効果を説明する。
【００３６】
上記したとおり、第一実施形態によれば、断面が“コ”字型に形成され本体ベース部材１１の上面である支持板部１３と、この支持板部１３に取り付けられた押圧機構１４とから、押圧部１２が構成され、本体ベース部材１１の両側面にフック板部２０が形成されている。この枕木固定用機具１０を、枕木４に取り付けることで、“コ”字状のベース部材１１が枕木４に嵌合し、さらに、押圧機構１４を作動させることで、各フック片部２２，２３を各フランジ２，３に係止させると共に、受け板部材２４を介して枕木４を下方に向けて躯体１に押し付ける。したがって、躯体１に枕木４を堅固に固定することができる。
【００３７】
また、各フック片部２２，２３同士の間に形成された空間が、躯体１の外側フランジ２および内側フランジ３が収まる大きさに形成され、押圧機構１４を作動させて本体ベース部材１１を上昇させることで、各フック片部２２，２３を各フランジ２，３に係止させるため、躯体１の各フランジ２，３の厚みに応じて、様々な大きさの躯体１に対応することができる。
【００３８】
さらに、枕木４の上面と側面に配置されて枕木４に取り付けられるため、枕木４を加工することなく、容易に既存の枕木４に着脱することができる。
【００３９】
第一実施形態によれば、本体ベース部材１１の両側面にフック板部２０が形成され、フック板部２０の下端にフック片２１が形成されている。フック片２１は、鉤状に形成され、外側フランジ２に係止される端側フック片部２２と、内側フランジ３に係止される基側フック片部２３とが互いに向き合う方向に突出している。この構成により、各フック片部２２，２３が各フランジ２，３に係止される。したがって、躯体１に枕木４を堅固に固定することができる。また、仮に押圧部１２が緩んだとしても、各フック片部２２，２３が複数の点で各フランジ２，３に係止されているため、躯体１から外れ難くすることができる。
【００４０】
第一実施形態によれば、受け板部材２４は、本体ベース部材１１の支持板部１３とほぼ同じ長方形の平板状（枕木４の側方の幅と、躯体１に重ねられた枕木４の長さとに相当する大きさ）に形成され、枕木４の上面と押圧部１２との間に配置されている。この構成により、受け板部材２４の分だけ枕木４との接触面積が増加する。したがって、躯体１に枕木４を堅固に固定することができる。
【００４１】
第一実施形態によれば、受け板部材２４の端側および基側の縁は、上方に向けて立ち上がった嵌合片２５が形成されている。本体ベース部材１１の内側に受け板部材２４を配置すると、本体ベース部材１１の押圧部１２である支持板部１３の端側および基側に、受け板部材２４の嵌合片２５が嵌合する。したがって、躯体１に枕木４を堅固に固定することができる。
【００４２】
その他、第一実施形態によれば、構造が簡便であり、軽量であるため、移動や設置を容易に行うことができる。また、施工時の溶接など、特殊な設備を要しないため、汎用的な工具で容易に施工することができる。また、形状を変更することで、安全ネットなどをフック片２１に容易に取り付けることができる。
【００４３】
次に、本発明の第二実施形態に係る枕木固定用機具を図面に基づいて説明する。図５および図６は、本発明の第二実施形態に係る枕木固定用機具３０の使用状態における外観が示されている。なお、以下の説明では、第一実施形態と異なる構成のみが説明され、同様の構成の説明が適宜省略されている。
【００４４】
図５および図６に示されているとおり、第二実施形態に係る枕木固定用機具３０は、枕木４の上面に取り付けられた本体ベース部材３１と、この本体ベース部材３１の下方に備えられた受け板部材４４と、枕木４の両側面のそれぞれに配置されて躯体１に係止されたフック部としてのフックアーム６０とから構成されている。本体ベース部材３１は、枕木４の上面に配置された押圧部３２と、フックアーム６０を作動させる調節機構４７とから形成されている。受け板部材４４は、枕木４の上面と押圧部３２との間に配置されている。
【００４５】
ここで、各部材について詳説する。図７は、分解された本発明の第二実施形態に係る枕木固定用機具３０の各部材が示されている。
【００４６】
図７に示されているとおり、本体ベース部材３１は、断面が“コ”字型に形成され、下方と端側および基側とが開放されている。押圧部３２は、本体ベース部材３１の上面である支持板部３３と、この支持板部３３に取り付けられた押圧機構３４とから構成されている。支持板部３３は、四角形の平板状に形成されて中央に孔が形成されている。押圧機構３４は、孔に合わせて支持板部３３の下面に予めフランジナット３６が取り付けられた状態で、クランプボルト３５が下方からフランジナット３６に挿入され、孔から突出したクランプボルト３５に、ワッシャー４８およびスプリングワッシャー４９を介して上方からダブルナット３７が取り付けられ、さらにクランプボルト３５の先端に割ピン３８が取り付けられて形成されている。
【００４７】
調節機構４７は、本体ベース部材３１の両側面であるシャフト受板部５０と、側方を軸としてシャフト受板部５０に貫通して支持された回転シャフトとから構成されている。シャフト受板部５０は、四角形の平板状に形成されて端側および基側に孔が形成されている。回転シャフトは、シャフト受板部５０の端寄りの孔に取り付けられた端側回転シャフト５１と、基寄りの孔に取り付けられた基側回転シャフト５２とから構成され、各回転シャフト５１，５２は互いに平行に配置されている。各回転シャフト５１，５２は、両端にアームフック６０が取り付けられている。
【００４８】
アームフック６０は、両側方に二つずつ備えられ、側方のうちの一方が第一アームフックであり、他方が第二アームフックである。各アームフックは、さらに一対で構成され、端側に配置された第一端側アームフック６１と基側に配置された第一基側アームフック６２、および端側に配置された第二端側アームフック６３と基側に配置された第二基側アームフック６４から構成されている。各第一アームフック６１，６２同士は、枕木４の長手方向において対面して配置され、同様に、各第二アームフック同士６３，６４も、長手方向において対面して配置されている。
【００４９】
アームフック６０は、平板状であり、中程が屈折して“く”字状に形成されている。各端側アームフック６１，６３は、上端が端側回転シャフト５１の両端にそれぞれカラー５３を介して連結されると共に、上端近傍同士が補強パイプ５４によって連結され、同様に、下端近傍同士が補強パイプ５４によって連結されている。また、各基側アームフック６２，６４は、上端が基側回転シャフト５２の両端にそれぞれカラー５３を介して連結されると共に、上端近傍同士が補強パイプ５４によって連結されている。この構成により、各端側アームフック６１，６３が連動し、各基側アームフック６２，６４が連動する。
【００５０】
各アームフック６１〜６４の下端は、鉤状に形成されたフック片部４２が形成されている。第一端側アームフック６１の下端に形成された第一端側フック片部６５と、第一基側アームフック６２の下端に形成された第一基側フック片部６６とが互いに向き合う方向に突出し、同様に、第二端側アームフック６３の下端に形成された第二端側フック片部６７と、第二基側アームフック６４の下端に形成された第二基側フック片部６８とが、互いに向き合う方向に突出している。
【００５１】
各端側フック片部６５，６７は、外側フランジ２に係止され、一方、各基側フック片部６６，６８は、内側フランジ３に係止される。第一端側アームフック６１および第一基側アームフック６２（または、第二端側アームフック６３および第二基側アームフック６４）同士の間に形成された空間は、調節機構４７によって、躯体１の各フランジ２，３が収まる大きさに調節される。
【００５２】
調節機構４７は押圧機構３４に連動する。すなわち、押圧機構３４を作動させ、本体ベース部材３１が上昇すると、この本体ベース部材３１のシャフト受板部５０に支持された各回転シャフト５１，５２が引き上げられると共に、アームフック６１〜６４が各回転シャフト５１，５２を軸に回転しながら引き上げられる。
【００５３】
受け板部材４４は、枕木４における側方の幅とほぼ同じ長方形の平板状に形成されている。この受け板部材４４の端側および基側の縁は、上方に向けて立ち上がった嵌合片４５が形成され、また、受け板部材４４の両側方は、下方に向けて伸びた枕木嵌合片５５が形成されている。なお、受け板部材４４は、枕木４に固定される際にネジ釘５が用いられ、このネジ釘５が挿入される二つのネジ孔４６が、側方近傍に形成されている。
【００５４】
上記のとおり、第二実施形態に係る枕木固定用機具３０が形成されている。
【００５５】
次に、第二実施形態に係る枕木固定用機具３０の取付手順を図面に基づいて説明する。図８は、第二実施形態に係る枕木固定用機具３０の取付手順が示されている。
【００５６】
図８（ａ）に示されているとおり、本体ベース部材３１の下方に受け板部材４４を配置し、本体ベース部材３１の押圧部３２である支持板部３３の端側および基側に、受け板部材４４の嵌合片４５を嵌合させた状態で、枕木固定用機具３０を枕木４に載せる。その際、受け板部材４４の枕木嵌合片４５を枕木４に嵌合させ、本体ベース部材３１の各アームフック６１〜６４に形成された各フック片部６５〜６８を、躯体１の各フランジ２，３に係止させる。詳説すれば、まず、各アームフック６１〜６４を開いた状態で、本体ベース部材３１に連結された第一端側アームフック６１および第二端側アームフック６３を、枕木４の端側から通し、各端側アームフック６１，６３を外側フランジ２側に配置させる。次いで、受け板部材４４を枕木４の上面に載せ（図８（ａ）における矢印１０４参照）、枕木嵌合片４５を枕木４に嵌合させる。そして、本体ベース部材３１に連結された第一基側アームフック６２および第二基側アームフック６４を、内側フランジ３側に配置させる。
【００５７】
予め枕木４に形成しておいた下穴６の位置に、受け板部材４４のネジ孔４６を合わせる。ネジ孔４６を通してネジ釘５を枕木４に留め、枕木固定用機具３０を枕木４に固定する。
【００５８】
この状態で、図８（ｂ）に示されているとおり、押圧機構３４を作動させると共に調節機構４７を連動させることで各アームフック６１〜６４の各フック片部６５〜６８を各フランジ２，３に係止させる。詳説すれば、工具などでクランプボルト３５を回し（図８（ｂ）における矢印１０５参照）、受板部材４４に当たるまでクランプボルト３５を下降させ、さらにクランプボルト３５を回すことで、本体ベース部材３１を上昇させる（図８（ｂ）における矢印１０６参照）。本体ベース部材３１の上昇に伴い、各アームフック６１〜６４が、各回転シャフト５１，５２を軸に回転して閉じ（図８（ｂ）における矢印１０７参照）、各フック片部６５〜６８が各フランジ２，３に係止する。同時に、受け板部材４４を介して枕木４を下方に向けて躯体１に押し付ける。最後にダブルナット３７を締めて本体ベース部材３１の位置を固定する。以上により、図５および図６に示されているとおり、枕木固定用機具３０によって枕木４が躯体１に固定される。
【００５９】
次に、第二実施形態の効果を説明する。なお、以下の説明では、第一実施形態と異なる効果のみが説明され、同様の効果の説明が省略されている。
【００６０】
上記したとおり、第二実施形態によれば、調節機構４７は、本体ベース部材３１の両側面であるシャフト受板部５０と、側方を軸としてシャフト受板部５０に貫通して支持された端側回転シャフト５１および基側回転シャフト５２とから構成されている。各回転シャフト５１，５２は、両端に各アームフック６１〜６４が取り付けられ、各アームフック６１〜６４の下端に、鉤状に形成された各フック片部６５〜６８がそれぞれ形成されている。この構成により、クランプボルト３５を回して本体ベース部材３１を上昇させると、上昇に伴い、各アームフック６１〜６４が、各回転シャフト５１，５２を軸に回転して閉じ、各フック片部６５〜６８が各フランジ２，３に係止する。すなわち、各アームフック６１〜６４（各フック片部６５〜６８）同士の間隔を変化させることで、躯体１の大きさや各フランジ２，３の厚み、幅および形状に応じて、様々な大きさの躯体１に対応することができる。
【００６１】
次に、本発明の第三実施形態に係る枕木固定用機具を図面に基づいて説明する。図９および図１０は、本発明の第三実施形態に係る枕木固定用機具１３０の使用状態における外観が示されている。なお、以下の説明では、第一実施形態と異なる構成のみが説明され、同様の構成の説明が適宜省略されている。
【００６２】
図９および図１０に示されているとおり、第三実施形態に係る枕木固定用機具１３０は、枕木４の上面に取り付けられた本体ベース部材１３１と、この本体ベース部材１３１の下方に備えられた受け板部材１４４と、枕木４の両側面のそれぞれに配置されて躯体１に係止されたフック部としてのフックアーム１６０とから構成されている。本体ベース部材１３１は、枕木４の上面に配置された押圧部１３２と、フックアーム１６０を作動させる調節機構１４７とから構成され、この調節機構１４７にフックアーム１６０の作動を規制するストッパー１８０が備えられている。受け板部材１４４は、枕木４の上面と押圧部１３２との間に配置されている。なお、レール７は、枕木４の上面に敷かれたタイプレート８の上に載せられている。
【００６３】
ここで、各部材について詳説する。図１１は、本発明の第三実施形態に係る枕木固定用機具１３０が示され、図１２は、分解された枕木固定用機具１３０の各部材が示されている。また、図１３は、本発明の第三実施形態に係る枕木固定用機具１３０の本体ベース部材１３１が示され、図１４はストッパー１８０が示され、図１５および図１６はフックアーム１６０が示され、図１７は受け板部材１４４が示されている。
【００６４】
図１２および図１３に示されているとおり、本体ベース部材１３１は、ほぼ直方体の箱型に形成され、下方が開放されている。本体ベース部材１３１の上面である支持板部１３３は、四角形の平板状に形成されて中央に孔が形成され、この孔に合わせて下面に固定ナット１３６が予め溶接されて取り付けられている。また、本体ベース部材１３１の両側面であるシャフト受板部１５０は、四角形の平板状に形成されて端寄りおよび基寄りに孔が形成されている。
【００６５】
押圧部１３２は、本体ベース部材１３１の上面である支持板部１３３と、この支持板部１３３に取り付けられた押圧機構１３４とで実現される。押圧機構１３４は、ナット１３７、スプリングワッシャー１４９およびワッシャー１４８が通されたクランプボルト１３５が、支持板部１３３の孔に上方から通されて固定ナット１３６に挿入されて形成されている。なお、スプリングワッシャー１４９と支持板部１３３との間に、ストッパー１８０が挟まれている。ストッパー１８０については後述する。
【００６６】
調節機構１４７は、本体ベース部材１３１の両側面であるシャフト受板部１５０と、側方を軸としてシャフト受板部１５０に貫通して支持された回転シャフトとから実現される。回転シャフトは、シャフト受板部１５０の端寄りの孔に通された端側回転シャフト１５１と、基寄りの孔に通された基側回転シャフト１５２とから構成され、各回転シャフト１５１，１５２は互いに平行に配置されている。
【００６７】
図１２および図１４に示されているとおり、ストッパー１８０は、断面が“コ”字形に形成され、下方と端側および基側が開放されている。ストッパー１８０の上面は、四角形の平板状に形成されて中央に孔が形成されている。また、ストッパー１８０の両側面であるシャフト挿通板部１８１は、四角形の平板状に形成され、上下に長い長孔が端寄りおよび基寄りに形成されると共に、端側の縁および基側の縁に鉤爪片１８２がそれぞれ形成されている。鉤爪片１８２は鉤状に形成されている。
【００６８】
図１１および図１２に示されているとおり、ストッパー１８０は本体ベース部材１３１に被せられ、上面が本体ベース部材１３１の支持板部１３３（押圧部１３２）と対面し、支持板部１３３の孔と、ストッパー１８０の上面の孔とが同軸上に揃えられる。揃えられた孔にクランプボルト１３５が挿入される。また、シャフト挿通板部１８１が本体ベース部材１３１のシャフト受板部１５０（調節機構１４７）と対面し、シャフト受板部１５０の孔とシャフト挿通板部１８１の長孔とが揃えられる。揃えられた各孔に各回転シャフト１５１，１５２が通される。また、補強パイプ１５４に鉤爪片１８２が係止される。補強パイプ１５４は、各回転シャフト１５１，１５２の基側および端側に配置されている。各回転シャフト１５１，１５２および補強パイプ１５４は、両端にフックアーム１６０が取り付けられている。
【００６９】
図１２に示されているとおり、フックアーム１６０は、両側方に二つずつ備えられ、側方のうちの一方が第一アームフックであり、他方が第二アームフックである。各アームフックは、さらに一対で構成され、端側に配置された第一端側アームフック１６１と基側に配置された第一基側アームフック１６２、および端側に配置された第二端側アームフック１６３と基側に配置された第二基側アームフック１６４から構成されている。各第一アームフック１６１，１６２同士は、枕木４の長手方向において対面して配置され、同様に、各第二アームフック同士１６３，１６４も、長手方向において対面して配置されている（図９参照）。
【００７０】
図１１、図１２および図１５に示されているとおり、フックアーム１６０は、平板状であり、押圧部１３２から躯体１までの間のうち、下方が“く”字状に屈折して角部１６９が形成されている（図１０参照）。詳説すれば、フックアーム１６０は、調節機構１４７側（各回転シャフト１５１，１５２側）から角部１６９までの肩部１７０と、角部１６９から下端側で鉤状に形成されたフック片部１４２とから形成されている。肩部１７０は角部１６９を境にフック片部１４２よりも長く形成されている。このことによって、角部１６９はレール７から離れてレール７よりも低い位置で、躯体１の各フランジ２，３近傍に配置されている（図１０参照）。
【００７１】
各アームフック１６１〜１６４において、第一端側アームフック１６１は、第一端側肩部１７１の下端に第一端側フック片部１６５が連接され、第一基側アームフック１６２は、第一基側肩部１７２の下端に第一基側フック片部１６６が連接されている。第一各フック片部１６５，１６６同士は、向き合う方向に突出している。同様に、第二端側アームフック１６３は、第二端側肩部１７３の下端に第二端側フック片部１６７が連接され、第二基側アームフック１６４は、第二基側肩部１７４の下端に第二基側フック片部１６８が連接されている。第二各フック片部１６７，１６８同士は、向き合う方向に突出している。各フック片部１６５〜１６８は、予備孔９が形成されている。
【００７２】
図１５に示されているとおり、フック片部１６５と肩部１７１との連接箇所の内側である内側縁部１７５は、アール状に形成され、フック片部１６５の先端であるフック片先端部１７６に向うにつれて上方に向けて傾斜している。フック片先端部１７６は、アール状の内側縁部１７５よりも高い位置に形成されている。なお、各フック片部１６６〜１６８もフック片部１６５と同様の構成である。
【００７３】
図１１、図１２および図１６に示されているとおり、第一基側アームフック１６２は、絶縁用のゴムシート１７７が取り付けられている。詳説すれば、基側アームフック１６２の基側肩部１７２は、第二基側アームフック１６４と対面する側にゴムシート１７７が貼り付けられ、熱収縮チューブ１７８が通されている。ゴムシート１７７は熱収縮チューブ１７８に覆われ、加熱された熱収縮チューブ１７８が収縮することでゴムシート１７７が基側肩部１７２に密着している。ここで、熱収縮チューブ１７８は、ゴムシート１７７を基側肩部１７２に密着させることができ、かつ、各基側アームフック１６２と、レール７やタイプレート８との電気的な接触を防ぐことができるものであれば、他の絶縁部材であってもよい。なお、第二基側アームフック１６４も第一基側アームフック１６２と同様の構成である。
【００７４】
図１１、図１２および図１５に示されているとおり、各端側アームフック１６１，１６３は、各端側肩部１７１，１７３の上端が端側回転シャフト１５１の両端に連結されてＣ形止め輪１３８によって留められると共に、各端側肩部１７１，１７３の上端近傍同士が補強パイプ１５４によって連結されている。同様に、各基側アームフック１６２，１６４は、各基側肩部１７２，１７４の上端が基側回転シャフト１５２に連結されてＣ形止め輪１３８によって留められると共に、上端近傍同士が補強パイプ１５４によって連結されている。補強パイプ１５４は各端側アームフック１６１，１６３および各基側アームフック１６２，１６４に予め溶接されている。この構成により、各端側アームフック１６１，１６３が連動し、各基側アームフック１６２，１６４が連動する。
【００７５】
図１１、図１２および図１７に示されているとおり、受け板部材１４４は、枕木４における側方の幅とほぼ同じ長方形の平板状に形成されて中央にクランプヘッド１７９が予め溶接されて取り付けられている。クランプヘッド１７９は、中央に溝が形成されている。受け板部材１４４の端側および基側の縁は、上方に向けて立ち上がった嵌合片１４５が形成され、また、受け板部材１４４の両側方は、下方に向けて伸びた枕木嵌合片１５５が形成されている。なお、受け板部材１４４は、枕木４に固定される際にネジ釘５が用いられ、このネジ釘５が挿入される二つのネジ孔１４６が、側方近傍に形成されている。
【００７６】
上記のとおり、第三実施形態に係る枕木固定用機具１３０が形成されている。
【００７７】
次に、第三実施形態に係る枕木固定用機具１３０の取り付け手順を図面に基づいて説明する。図１８から図２４は、第三実施形態に係る枕木固定用機具１３０の取り付け手順が示されている。
【００７８】
図１８において、受け板部材１４４を枕木４の上面に載せて枕木嵌合片１５５を枕木４に嵌合させ、予め枕木４に形成しておいた下穴の位置に、受け板部材１４４のネジ孔１４６を合わせる。ネジ孔１４６を通してネジ釘５を枕木４に留め、受け板部材１４４を枕木４に固定する。その際、図１９に示されているとおり、枕木４と受け板部材１４４との間に防振ゴムまたはスペーサ１８３が貼り付けられていてもよい。
【００７９】
図２０において、本体ベース部材１３１に対してストッパー１８０を引き上げて各アームフック１６１〜１６４のロックを解除し、各アームフック１６１〜１６４を開いた状態で（図２０（ｂ）における矢印１０８参照）、クランプボルト１３５を受け板部材１４４のクランプヘッド１７９の溝に差し込む。
【００８０】
ここで、各アームフック１６１〜１６４の開閉のロックおよびロックの解除について詳説する。図２１（ａ）に示されているとおり、ロックの状態では、ストッパー１８０が本体ベース部材１３１に対して下方に配置され、鉤爪部１８２が補強パイプ１５４に係止されている。そのため、各アームフック１６１〜１６４は、各回転シャフト１５１，１５２を軸とする回転が規制され、調節機構１４７が作動せず、各アームフック１６１〜１６４の開閉が規制される。一方、図２１（ｂ）（ｃ）に示されているとおり、ロックの解除状態では、本体ベース部材１３１に対してストッパー１８０を引き上げると（図２１（ｂ）における矢印１０９参照）、ストッパー１８０は、シャフト挿通板部１８１の長孔の範囲で、各回転シャフト１５１，１５２を軸として上方に移動し、補強パイプ１５４から鉤爪部１８２が外れる。そのため、各アームフック１６１〜１６４は、各回転シャフト１５１，１５２を軸として回転し、調節機構１４７が作動して各アームフック１６１〜１６４が開閉する（図２１（ｂ）における矢印１１０参照）。
【００８１】
図２２において、各アームフック１６１〜１６４に形成された各フック片部１６５〜１６８を、躯体１の各フランジ２，３に係止させる。詳説すれば、ストッパー１８０によるロックを解除して各アームフック１６１〜１６４を開いた状態で、本体ベース部材１３１に連結された各端側アームフック１６１，１６３を、枕木４の端側から通し、各端側アームフック１６１，１６３を外側フランジ２側に配置させる。同時に、本体ベース部材１３１に連結された各基側アームフック１６２，１６４を、内側フランジ３側に配置させる。その際、各アームフック１６１〜１６４は角部１６９が下方に形成されたことで重心が各回転シャフト１５１，１５２から離れた各フック片部１６５〜１６８寄りにあるため、各アームフック１６１〜１６４は自重によって閉じる（図２２（ｂ）における矢印１１１参照）。
【００８２】
その際、各基側アームフック１６２，１６４と、レール７およびタイプレート８との間に、ゴムシート１７７が配置される。
【００８３】
再びストッパー１８０を下げ、鉤爪部１８２を補強パイプ１５４に係止させる。各アームフック１６１〜１６４は、各回転シャフト１５１，１５２を軸とする回転が規制されるため、調節機構１４７が作動せず各アームフック１６１〜１６４の開閉が規制される。
【００８４】
この状態で、図２３に示されているとおり、押圧機構１３４を作動させると共に調節機構１４７を連動させることで各アームフック１６１〜１６４の各フック片部１６５〜１６８を各フランジ２，３に係止させる。詳説すれば、工具などでクランプボルト１３５を回し（図２３（ｂ）における矢印１１２参照）、本体ベース部材１３１を上昇させる（図２３（ｂ）における矢印１１３参照）。本体ベース部材１３１の上昇に伴い、本体ベース部材１３１のシャフト受板部１５０に支持された各回転シャフト１５１，１５２が引き上げられると共に、各アームフック１６１〜１６４が、各回転シャフト１５１，１５２を軸に回転して閉じ、各端側フック片部１６５，１６７が外側フランジ２に係止し、一方、各基側フック片部１６６，１６８が内側フランジ３に係止する。同時に、受け板部材１４４を介して枕木４を下方に向けて躯体１に押し付ける。最後にナット１３７を締めて本体ベース部材１３１の位置を固定する。
【００８５】
図２４に示されているとおり、各フック片部１６５〜１６８が各フランジ部２，３に係止する際、フック片先端部１７６が上方に向けて傾斜しているため、内側縁部１７５よりも先にフック片先端部１７６が各フランジ部２，３の下面に当り、内側縁部１７５が各フランジ部２，３に当らない。そのため、フック片先端部１７６が各フランジ部２，３の下面に密着する。
【００８６】
なお、フック片先端部１７６が傾斜していない場合のフック片部１６５の係止状態を図面に基づいて説明すれば、図２５に示されているとおり。内側縁部１７５が先に各フランジ部２，３の下面に当り、各フランジ部２，３とフック片先端部１６５との間に隙間１２０が生じる。そのため、係止状態が緩い場合が生じる。
【００８７】
以上により、図９および図１０に示されているとおり、枕木固定用機具１３０によって枕木４が躯体１に固定される。
【００８８】
次に、第三実施形態の効果を説明する。なお、以下の説明では、第一実施形態および第二実施形態と異なる効果のみが説明され、同様の効果の説明が省略されている。
【００８９】
上記したとおり、第三実施形態によれば、各アームフック１６１〜１６４の各肩部１７１〜１７４は、角部１６９を境に各フック片部１６５〜１６８よりも長く形成され、このことによって、角部１６９がレール７から離れてレール７よりも低い位置で、躯体１の内側フランジ３近傍に配置されている。この構成により、角部１６９とレール７との間隔が空けられる。したがって、各基側アームフック１６２，１６４と、レール７やタイプレート８との電気的な接触を防ぐことができる。
【００９０】
また、各基側アームフック１６２，１６４の各基側肩部１７２，１７４は、互いに対面する側にゴムシート１７７が貼り付けられ、熱収縮チューブ１７８に覆われて各基側肩部１７２，１７４に密着している。この構成により、各基側アームフック１６２，１６４と、レール７およびタイプレート８との間に、ゴムシート１７７が配置される。したがって、各基側アームフック１６２，１６４と、レール７やタイプレート８との電気的な接触を防ぐことができる。
【００９１】
第三実施形態によれば、ストッパー１８０は、断面が“コ”字形に形成され、下方と端側および基側が開放されている。このストッパー１８０の両側面であるシャフト挿通板部１８１は、四角形の平板状に形成され、上下に長い長孔が端寄りおよび基寄りに形成されると共に、端側の縁および基側の縁に鉤爪片１８２がそれぞれ形成されている。ストッパー１８０は本体ベース部材１３１に被せられる。シャフト挿通板部１８１が本体ベース部材１３１のシャフト受板部１５０（調節機構１４７）と対面し、シャフト受板部１５０の孔とシャフト挿通板部１８１の長孔とが揃えられ、各孔に各回転シャフト１５１，１５２が通される。また、補強パイプ１５４に鉤爪片１８２が係止される。
【００９２】
この構成により、ストッパー１８０が本体ベース部材１３１に対して下方に配置されると、鉤爪部１８２が補強パイプ１５４に係止され、各アームフック１６１〜１６４は、各回転シャフト１５１，１５２を軸とする回転が規制され、調節機構１４７が作動せず、各アームフック１６１〜１６４の開閉が規制される。したがって、振動などによって調節機構１４７が作動して各アームフック１６１〜１６４が開くことを妨げることができる。
【００９３】
第三実施形態によれば、各フック片部１６５〜１６８に予備孔９が形成されている。したがって、落下防止策として、例えば、パイプ、チェーン、安全ネットなど（いずれも図示省略）を容易に取り付けることができる。
【００９４】
第三実施形態によれば、ストッパー１８０は、押圧機構１３４のスプリングワッシャー８９と支持板部７３との間に挟まれている。この構成により、第二実施形態と比較して、工数を増やすことなくストッパー１８０を取り付けることができる。また、組み立て時の各アームフック１６１〜１６４と受け板部材１４４の位置きめも兼ねているため、第二実施形態のカラー５３を省くことができ、容易に組み立てることができる。
【００９５】
次に、第三実施形態の変形例を図面に基づいて説明する。図２６および図２７は、本発明の第三実施形態に係る枕木固定用機具１３０の変形例が示されている。
【００９６】
図２６に示されているとおり、各アームフック１６１〜１６４の長さを変更し、また、図２７に示されているとおり、各回転シャフト１５１，１５２および補強パイプ１５４が取り付けられる孔を複数箇所に形成することで、様々な高さの枕木に対応することもできる。なお、これらの変形例は、第一実施形態および第二実施形態においても採用することができる。
【００９７】
次に、本発明の第四実施形態に係る枕木固定用機具を図面に基づいて説明する。図２８および図２９は、本発明の第四実施形態に係る枕木固定用機具２３０の使用状態における外観が示されている。なお、以下の説明では、第三実施形態と同様の構成は、図示された符号をもって説明が適宜省略されている。
【００９８】
図２８および図２９に示されているとおり、第四実施形態に係る枕木固定用機具２３０は、枕木４の上面に取り付けられた本体ベース部材２３１と、この本体ベース部材２３１の下方に備えられた受け板部材２４４と、枕木４の両側面のそれぞれに配置されて躯体１に係止されたフック部としてのフックアーム２６０とから構成されている。本体ベース部材２３１は、枕木４の上面に配置された押圧部２３２と、フックアーム２６０を作動させる調節機構２４７とから構成され、この調節機構２４７にフックアーム２６０の作動を規制するストッパー２８０が備えられている。受け板部材２４４は、枕木４の上面と押圧部２３２との間に配置されている。なお、レール７は、枕木４の上面に敷かれたタイプレート８の上に載せられ、このタイプレート８は、タイプレート用ネジ釘２０５で枕木４に固定されている。
【００９９】
ここで、各部材について詳説する。図３０は、本発明の第四実施形態に係る枕木固定用機具２３０が示され、図３１は、分解された枕木固定用機具２３０の各部材が示されている。また、図３２は、本発明の第四実施形態に係る枕木固定用機具２３０の本体ベース部材２３１が示され、図３３はストッパー２８０が示され、図３４はフックアーム２６０が示され、図３５は受け板部材２４４が示されている。
【０１００】
図３０、図３１および図３２に示されているとおり、本体ベース部材２３１は、ほぼ直方体の箱型に形成され、下方が開放されている。本体ベース部材２３１の上面である支持板部２３３は、四角形の平板状に形成され、この支持板部２３３の下面の大きさに合わせて四角形の平板状に形成された補強プレート２８４が、支持板部２３３の下面に予め溶接されて取り付けられている。支持板部２３３および補強プレート２８４は、それぞれの中央に孔が形成され、この孔に合わせて補強プレート２８４の下面に固定ナット２３６が予め溶接されて取り付けられている。また、本体ベース部材２３１の両側面であるシャフト受板部２５０は、四角形の平板状に形成されて端寄りおよび基寄りに孔が形成されている。
【０１０１】
押圧部２３２は、本体ベース部材２３１の上面である支持板部２３３と、この支持板部２３３に取り付けられた押圧機構２３４とで実現される。調節機構２４７は、本体ベース部材２３１の両側面であるシャフト受板部２５０と、側方を軸としてシャフト受板部２５０に貫通して支持された各回転シャフト２５１，２５２とから実現される。押圧部２３２および調節機構２４７は、第三実施形態の押圧部１３２および調節機構１４７と同じ構成であるため、説明を省略する。
【０１０２】
図３１および図３３に示されているとおり、ストッパー２８０両側面であるシャフト挿通板部２８１は、四角形の平板状に形成され、端側の下縁および基側の下縁に、下方に向けて突出した係止片２８２がそれぞれ形成されている。
【０１０３】
図３０および図３１に示されているとおり、ストッパー２８０は本体ベース部材２３１に被せられ、シャフト受板部２５０の孔とシャフト挿通板部２８１の長孔とが揃えられる。揃えられた各孔に各回転シャフト２５１，２５２が通され、また、補強パイプ２５４に係止片２８２が係止される。補強パイプ２５４は、各回転シャフト２５１，２５２の下方に配置されている。
【０１０４】
図３０、図３１および図３４に示されているとおり、フックアーム２６０は、調節機構２４７側（各回転シャフト２５１，２５２側）から角部２６９までの肩部２７０が平坦に形成されている。フックアーム２６０のうち、肩部２７０の反対側に、補強パイプ２５４が取り付けられている。このことによって、補強パイプ２５４はタイプレート用ネジ釘２０５から離れた位置に配置される（図２９参照）。各アームフック２６１〜２６４は、第三実施形態の各アームフック１６１〜１６４と同じ構成であるため、説明を省略する。
【０１０５】
なお、補強パイプ２５４が取り付けられる位置は、補強パイプ２５４がタイプレート用ネジ釘２０５と接触しない限り、任意である。また、補強パイプ２５４の位置に応じて、ストッパー２８０の係止片２８２の位置や形状も任意である。
【０１０６】
図３１および図３５に示されているとおり、受け板部材２４４は、枕木４における側方の幅とほぼ同じ長方形の平板状に形成されて中央にクランプヘッド２７９が予め溶接されて取り付けられている。受け板部材２４４は、第三実施形態の受け板部材１４４よりも幅が狭く形成されている。
【０１０７】
上記のとおり、第四実施形態に係る枕木固定用機具２３０が形成されている。なお、枕木固定機具２３０の取り付け手順は、第三実施形態に係る枕木固定用機具１３０と同じであるため、説明を省略する。
【０１０８】
次に、第四実施形態の効果を説明する。なお、以下の説明では、第一実施形態、第二実施形態および第三実施形態と異なる効果のみが説明され、同様の効果の説明が省略されている。
【０１０９】
上記したとおり、第四実施形態によれば、フックアーム２６０は、肩部２７０が平坦に形成されている。フックアーム２６０のうち、肩部２７０の反対側に、補強パイプ２５４が取り付けられ、この補強パイプ２５４は各回転シャフト２５１，２５２の下方に配置されている。したがって、補強パイプ２５４がタイプレート用ネジ釘２０５と接触することを防ぐことができる。
【０１１０】
第四実施形態によれば、受け板部材２４４は幅が狭く形成されている。したがって、受け板部材２４４がタイプレート８と接触することを防ぐことができる。
【０１１１】
第四実施形態によれば、本体ベース部材２３１の上面である支持板部２３３は、この支持板部２３３の下面の大きさに合わせて四角形の平板状に形成された補強プレート２８４が、支持板部２３３の下面に予め溶接されて取り付けられている。この構成により本体ベース部材２３１の強度が向上する。したがって、枕木固定機具２３０の取り付け手順において、本体ベース部材２３１が変形せず、躯体１に枕木４を堅固に固定することができる。
【０１１２】
なお、補強プレート２８４が取り付けられていない場合の本体ベース部材５３１を図面に基づいて説明すれば、図３６に示されているとおり、枕木固定機具５３０の取り付け手順において、クランプボルト５３５を回して（図３６における矢印１１４参照）本体ベース部材５３１を上昇（図３６における矢印１１５参照）させると、本体ベース部材５３１の上昇に伴い、本体ベース部材５３１のシャフト受板部５５０に支持された各回転シャフト５５１，５５２が引き上げられると共に、各端側フック片部５６５，５６７が外側フランジ２に係止し、一方、各基側フック片部５６６，５６８が内側フランジ３に係止する。その際、各アームフック５６１〜５６４が各フランジ２，３に係止した状態で本体ベース部材５３１が上昇するため、本体ベース５３１は、クランプボルト５３５が取り付けられた中央が変形して盛り上がる（図３６における矢印１１５参照）と共に、シャフト受板部５５０側が下がる（図３６における矢印１１６参照）場合が生じる。
【０１１３】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【０１１４】
１                          躯体
２                          外側フランジ
３                          内側フランジ
４                          枕木
５                          ネジ釘
６                          下穴
７                          レール
８                          タイプレート
９                          予備孔
１０、３０、１３０、２３０  枕木固定用機具
１１、３１、１３１、２３１  本体ベース部材
１２、３２、１３２、２３２  押圧部
１３、３３、１３３、２３３  支持板部
１４、３４、１３４、２３４  押圧機構
１５、３５、１３５、２３５  クランプボルト
１６、３６                  フランジナット
１７、３７                  ダブルナット
１８、３８                  割ピン
１９                        開口部
２０                        フック板部（フック部）
２１、４２、１４２、２４２  フック片部
２２                        端側フック片部
２３                        基側フック片部
２４、４４、１４４、２４４  受け板部材（受け板部）
２５、４５、１４５          嵌合片
２６、４６、１４６、２４６  ネジ孔
４７、１４７、２４７        調節機構
４８、１４８、２４８        ワッシャー
４９、１４９、２４９        スプリングワッシャー
５０、１５０、２５０        シャフト受板部
５１、１５１、２５１        端側回転シャフト
５２、１５２、２５２        基側回転シャフト
５３                        カラー
５４、１５４、２５４        補強パイプ
５５、１５５、２５５        枕木嵌合片
６０、１６０、２６０        フックアーム（フック部）
６１、１６１、２６１        第一端側アームフック
６２、１６２、２６２        第一基側アームフック
６３、１６３、２６３        第二端側アームフック
６４、１６４、２６４        第二基側アームフック
６５、１６５、２６５        第一端側フック片部
６６、１６６、２６６        第一基側フック片部
６７、１６７、２６７        第二端側フック片部
６８、１６８、２６８        第二基側フック片部
１００〜１１６              矢印
１２０                      隙間
１３６、２３６              固定ナット
１３７、２３７              ナット
１３８、２３８              Ｃ形止め輪
１６９、２６９              角部
１７０、２７０              肩部
１７１、２７１              第一端側肩部
１７２、２７２              第一基側肩部
１７３、２７３              第二端側肩部
１７４、２７４              第二基側肩部
１７５、２７５              内側縁部
１７６、２７６              フック片先端部
１７７、２７７              ゴムシート
１７８、２７８              熱収縮チューブ
１７９、２７９              クランプヘッド
１８０、２８０              ストッパー
１８１、２８１              シャフト挿通板部
１８２                      鉤爪片
１８３、２８３              スペーサ
２０５                      タイプレート用ネジ釘
２８２                      係止片
２８４                      補強プレート
５３０                      枕木固定機具
５３１                      本体ベース部材
５３５                      クランプボルト
５５０                      シャフト受板部
５５１                      端側回転シャフト
５５２                      基側回転シャフト
５６５                      第一端側フック片部
５６６                      第一基側フック片部
５６７                      第二端側フック片部
５６８                      第二基側フック片部
【図１】
0006689122.tif 000002
【図２】
0006689122.tif 000003
【図３】
0006689122.tif 000004
【図４】
0006689122.tif 000005
【図５】
0006689122.tif 000006
【図６】
0006689122.tif 000007
【図７】
0006689122.tif 000008
【図８】
0006689122.tif 000009
【図９】
0006689122.tif 000010
【図１０】
0006689122.tif 000011
【図１１】
0006689122.tif 000012
【図１２】
0006689122.tif 000013
【図１３】
0006689122.tif 000014
【図１４】
0006689122.tif 000015
【図１５】
0006689122.tif 000016
【図１６】
0006689122.tif 000017
【図１７】
0006689122.tif 000018
【図１８】
0006689122.tif 000019
【図１９】
0006689122.tif 000020
【図２０】
0006689122.tif 000021
【図２１】
0006689122.tif 000022
【図２２】
0006689122.tif 000023
【図２３】
0006689122.tif 000024
【図２４】
0006689122.tif 000025
【図２５】
0006689122.tif 000026
【図２６】
0006689122.tif 000027
【図２７】
0006689122.tif 000028
【図２８】
0006689122.tif 000029
【図２９】
0006689122.tif 000030
【図３０】
0006689122.tif 000031
【図３１】
0006689122.tif 000032
【図３２】
0006689122.tif 000033
【図３３】
0006689122.tif 000034
【図３４】
0006689122.tif 000035
【図３５】
0006689122.tif 000036
【図３６】
0006689122.tif 000037